(57)【特許請求の範囲】
【請求項１】
対向する面に電極を有する一対の基板間に帯電粒子が封入され、この帯電粒子の移動によって表示を行うメモリ性を有する表示パネルと、表示データを入力して前記電極に駆動電圧波形を出力する駆動手段と、を備える表示装置であって、
前記駆動電圧波形は、表示反転期間内に前記表示データに基づく複数の表示反転パルスと、この表示反転パルスを分離する休止期間と、を有し、
前記複数の表示反転パルスのうち、少なくとも一つの前記表示反転パルスは、その直前に配置された他の前記表示反転パルスのパルス幅より短く設定されており、
前記休止期間は、前記表示反転期間内に複数回設定され、前記一つの表示反転パルスの直前に設定された一つの前記休止期間は、それよりも前に設定された他の前記休止期間より長いことを特徴とする表示装置。
【請求項２】
前記休止期間では、前記駆動電圧波形の電圧が０Ｖであることを特徴とする請求項１に記載の表示装置。
【請求項３】
前記駆動電圧波形は、前記表示反転パルスが出力される前に前記表示反転パルスの電圧極性と反対極性の前置反転パルスを有することを特徴とする請求項１又は２に記載の表示装置。
【請求項４】
前記表示パネルは、前記一対の基板の電極間に印加される電圧の極性に応じて前記帯電粒子が電気泳動により移動する電気泳動型表示パネルであって、
前記一対の基板のそれぞれに前記電極を設け、前記一対の基板のうち一方の基板の電極は複数のセグメント電極であり、他方の基板の電極は前記複数のセグメント電極と対向する一つの共通電極であり、前記駆動電圧波形は、前記複数のセグメント電極毎に印加されることを特徴とする請求項１から３のいずれか一項に記載の表示装置。
【発明の詳細な説明】
【技術分野】
【０００１】
本発明は、帯電粒子の移動によって表示を行うメモリ性を有する表示パネルを備えた低消費電力の表示装置に関する。
【背景技術】
【０００２】
従来から薄型の表示装置としては、液晶表示装置が各種の電子機器に広く使用されており、近年ではコンピュータやテレビジョン等の大型カラーディスプレイとしても使用されるようになっている。また、テレビジョンの大型カラーディスプレイとしては、プラズマディスプレイも使用されている。しかし、液晶表示装置やプラズマディスプレイはＣＲＴ表示装置に比べれば格段に薄型になったとはいえ、まだ用途によっては充分に薄くはないし、曲げることは出来ない。また、携帯機器のディスプレイとして使用する場合には消費電力の更なる低減が望まれている。
【０００３】
そこで、更なる薄型化と低消費電力化を実現する表示装置として、電気泳動表示素子を用いた電子ペーパーとも称される表示パネルが開発され、電子ブックや電子新聞、電子広告看板や案内表示板などへの利用が試みられている。この電気泳動表示素子を用いた表示パネル（表示装置）は、対向する面にそれぞれ電極を有する一対の基板間に帯電粒子が封入された画像表示層を設け、その一対の基板の電極間に印加される電圧の極性に応じて帯電粒子が電気泳動により移動して表示を行うように構成されている。
【０００４】
この電気泳動型表示パネルは、電極間に印加される駆動電圧を取り去っても、帯電粒子が移動しないのでメモリ性を有しており、駆動電力が零でも表示状態を保つことが出来る。この表示状態が保たれる表示期間は、数秒から数時間、あるいは数ヶ月も継続する場合もある。このため、この電気泳動型表示パネルは、極めて僅かな電力で駆動することが出来るので、低消費電力を必要とする携帯機器などの表示装置として有望である。
【０００５】
ここで、従来から用いられている電気泳動型表示パネルを図１１〜図１４に基づいて説明する。図１１は電気泳動型表示パネルの一例を示す断面図であり、表示パネル５０は帯電粒子が電気泳動によって移動する電気泳動型表示パネルである。
【０００６】
この表示パネル５０は、透明な樹脂基板５１の裏面全体にＩＴＯ（酸化インジューム錫）膜による透明な共通電極（コモン電極）ＣＯＭを形成し、その上に電子インクとも称されるマイクロカプセル表示層５３が形成されている。このマイクロカプセル表示層５３の表面に画素毎のセグメント電極ＳＥＧが形成されたフレキシブルプリント基板（以下ＦＰＣと約す）５５が接着剤層５４によって接着され構成される。この共通電極ＣＯＭとセグメント電極ＳＥＧのそれぞれに印加された電圧の合成電圧が、画素に印加される駆動電圧となる。
【０００７】
そして、マイクロカプセル表示層５３は、バインダや界面活性剤、増粘剤、純水等の混合体中に直径が数十μｍ程度の微小なマイクロカプセル６０が多数分散している。すなわち、表示パネル５０は、透明な樹脂基板５１とＦＰＣ５５が一対の基板として配設され、その対向面の一方に共通電極ＣＯＭが形成され、他方の面にセグメント電極ＳＥＧが形成され、その間にマイクロカプセル６０が封入された構造である。
【０００８】
次に、図１２の拡大断面図によって表示パネル５０の動作原理を説明する。図１２において、マイクロカプセル６０は、透明なメタクリル樹脂等からなるカプセル殻６１の内部に、帯電粒子として酸化チタン等からなる白色粒子６３ａとカーボンブラック等からなる
黒色粒子６３ｂが、シリコーンオイル等の粘性の高い透明な分散媒６２に分散された状態で封入されている。そして、白色粒子６３ａは負に帯電され、黒色粒子６３ｂは正に帯電されている。
【０００９】
そして、このマイクロカプセル表示層５３を挟むように配置された電極のうち、一方の全面一体の共通電極ＣＯＭを接地し、他方のＦＰＣ５５上のセグメント電極ＳＥＧに負電圧を印加した部分では、その電界によってマイクロカプセル６０内の負に帯電した白色粒子６３ａが透明な共通電極ＣＯＭ側へ、正に帯電した黒色粒子６３ｂはセグメント電極ＳＥＧ側へ移動するので、視認側（矢印Ａの方向）から見ると白く見える。一方、セグメント電極ＳＥＧに正電圧を印加した部分では、その逆向きの電界によってマイクロカプセル６０内の正に帯電した黒色粒子６３ｂが透明な共通電極ＣＯＭ側へ、負に帯電した白色粒子６３ａはセグメント電極ＳＥＧ側へ移動するので、視認側から見ると黒く見える。
【００１０】
また、図１２における中央のマイクロカプセル６０のように、負電圧が印加されたセグメント電極ＳＥＧと正電圧が印加されたセグメント電極ＳＥＧとに跨った位置のマイクロカプセル６０内では、白色粒子６３ａの一部は共通電極ＣＯＭ側へ、残りはセグメント電極ＳＥＧ側へ移動し、黒色粒子６３ｂの一部はセグメント電極ＳＥＧ側へ移動し、残りは共通電極ＣＯＭ側へ移動するので、マイクロカプセル６０の直径よりも、細かい表示も可能である。
【００１１】
したがって、共通電極ＣＯＭとセグメント電極ＳＥＧとの間に印加する電圧の極性によって、白又は黒に表示状態を変化させることができる。このとき白色粒子６３ａと黒色粒子６３ｂは分散媒６２中を電気泳動によって移動するが、分散媒６２の粘度が高いので、電圧を印加して表示状態を変化させた後、その電圧の印加を停止しても、それぞれの粒子の分子間力により、その表示状態を保持するメモリ性効果を持つことが出来る。これにより、表示パネル５０は、表示を変化させる時だけ駆動電圧を印加すればよいので、消費電力が極めて少ないことが大きな特徴である。
【００１２】
次に図１３は、前述した表示パネル５０で数字等のキャラクタを表示するようにした一例を示している。図１３において、表示パネル５０は、セグメントＳ０〜Ｓ６によって成るセブンセグメントキャラクタＳＣを１桁表す表示体で構成されている。また、そのセグメントＳ０〜Ｓ６の周囲領域Ｓ７はセブンセグメントキャラクタＳＣの背景領域を表している。
【００１３】
この表示パネル５０は電極として１個の共通電極ＣＯＭと８個のセグメント電極を有している。この８個のセグメント電極とは、セグメントＳ０からセグメントＳ６に対応するセグメント電極ＳＥＧ０からＳＥＧ６、及び周囲領域Ｓ７に対応するセグメント電極ＢＧである。また、表示パネル５０の下部より出ている９本の線はそれぞれ、共通電極ＣＯＭおよび８個のセグメント電極ＳＥＧ０〜ＳＥＧ６、ＢＧに接続されたリード線であり、それぞれのリード線は、接続される各セグメント電極と同一の名称を付して示している。そして、それぞれのリード線は、後述する駆動手段を複数集積する駆動ＩＣに接続される。
【００１４】
次に図１４は、図１３に示した表示パネル５０によるセブンセグメントキャラクタＳＣを（Ａ）の数字「２」を表示した状態から（Ｂ）の数字「３」を表示する状態へ変化させる場合を示している。図１４において、最初の（Ａ）の表示状態では、セグメントＳ０、Ｓ１、Ｓ３、Ｓ４及びＳ６が黒であり、セグメントＳ２，Ｓ５及び周囲領域Ｓ７が白である。そして、変化後の（Ｂ）の表示状態では、セグメントＳ０、Ｓ１、Ｓ２、Ｓ３及びＳ６が黒となり、セグメントＳ４、Ｓ５及び周囲領域Ｓ７が白となる。
【００１５】
ここで実際に表示する駆動方法として、セブンセグメントキャラクタＳＣの表示状態を
変化させるには、まず、（Ａ）の数字「２」を表示させるために、共通電極ＣＯＭは常に接地（すなわち０ｖ）とし、セグメント電極ＳＥＧ０、ＳＥＧ１、ＳＥＧ３、ＳＥＧ４、ＳＥＧ６には一時的に正の駆動電圧を印加する。また、セグメント電極ＳＥＧ２、ＳＥＧ５、ＢＧには一時的に負の電圧を印加し、その後、全てのセグメント電極は共通電極ＣＯＭと同電位の０ｖとする。
【００１６】
次に、（Ｂ）の数字「３」に表示を変化させるために、共通電極ＣＯＭは常に接地（すなわち０ｖ）とし、白から黒に変化するセグメント電極ＳＥＧ２に一時的に正の駆動電圧を印加し、黒から白に変化するセグメント電極ＳＥＧ４には一時的に負の電圧を印加する。そしてその後、セグメント電極ＳＥＧ２とＳＥＧ４は共通電極ＣＯＭと同電位の０ｖに戻すと共に、変化しないセグメント電極ＳＥＧ０、ＳＥＧ１、ＳＥＧ３、ＳＥＧ５、ＳＥＧ６、及び周囲領域のセグメント電極ＢＧは、０ｖの印加を継続する。
【００１７】
このように、黒、又は白に書き換えるセグメント電極には、一時的に正、又は負の電圧を印加し、表示が変化しない他のセグメント電極には共通電極ＣＯＭと同電位の０ｖを継続するのは、前述したように表示パネル５０はメモリ性を有するため、前回の表示状態をそのまま保持することが出来るからである。
【００１８】
この電気泳動型表示パネルの駆動回路として、駆動電圧が−Ｖ、０ｖ、＋Ｖの３値である「３値駆動」と、駆動出力が０ｖ、＋Ｖの２値である「２値駆動」を切り替え可能な駆動回路及び表示装置が開示されている（例えば特許文献１参照）。
【００１９】
ここで、特許文献１に開示されている電気泳動型表示パネルを駆動する従来の３値駆動方式を図面に基づいて説明する。図１５において、駆動電圧ＣＯＭＶは図１２で示した表示パネル５０の共通電極ＣＯＭに印加される駆動電圧であり、駆動電圧ＳＥＧＶ１〜ＳＥＧＶ４は表示パネル５０のセグメント電極ＳＥＧのいずれかに印加される４種類の駆動電圧波形を示している。これらの駆動電圧は、表示データ（白又は黒のデータ）に対応して表示反転パルスを印加するための表示反転期間Ｔ１と、その表示反転パルスの印加前の表示状態を維持している表示期間Ｔ２ａと、その表示反転パルスの印加後に表示データに対応した表示状態を維持している表示期間Ｔ２ｂとの期間で構成されている。
【００２０】
そして、共通電極ＣＯＭへの駆動電圧ＣＯＭＶは、前述した如く、常に接地して０ｖの電位とする。次にＳＥＧＶ１は、表示データの推移が白→白のときに出力される駆動電圧であり、表示データが変化しないので表示反転期間Ｔ１と表示期間Ｔ２ａ、Ｔ２ｂ共に駆動電圧ＣＯＭＶと同電位の０ｖが印加される。
【００２１】
また、ＳＥＧＶ２は、表示データの推移が黒→黒のときに出力される駆動電圧であり、表示データが変化しないので表示反転期間Ｔ１と表示期間Ｔ２ａ、Ｔ２ｂ共に駆動電圧ＣＯＭＶと同電位の０ｖが印加される。
【００２２】
また、ＳＥＧＶ３は、表示データの推移が白→黒のときに出力される駆動電圧であり、正電圧＋Ｖの表示反転パルスが反転表示期間Ｔ１に出力され、その後の表示期間Ｔ２ｂは、駆動電圧ＣＯＭＶと同電位の０ｖが印加される。
【００２３】
また、ＳＥＧＶ４は、表示データの推移が黒→白のときに出力される駆動電圧であり、負電圧−Ｖの表示反転パルスが反転表示期間Ｔ１に出力され、その後の表示期間Ｔ２ｂは、駆動電圧ＣＯＭＶと同電位の０ｖが印加される。
【００２４】
すなわち、駆動電圧ＳＥＧＶ３は、対応するセグメントの表示内容を白から黒に変化させるときに出力される駆動パルスであり、表示が白のとき、黒を書き込むために正電圧＋
Ｖがセグメント電極に印加される。また、駆動電圧ＳＥＧＶ４は、対応するセグメントの表示内容を黒から白に変化させるときに出力される駆動パルスであり、表示が黒のとき、白を書き込むために負電圧−Ｖがセグメント電極に印加される。
【００２５】
この正電圧＋Ｖ、又は負電圧−Ｖがセグメント電極に印加される反転表示期間Ｔ１は、例えば３００ｍＳ程度であり、その後に続く電圧無印加状態の表示期間Ｔ２ｂでは、前述したように表示パネル５０はメモリ性を有するため、各セグメントは表示状態を保持することが出来る。この結果、電気泳動型表示パネルを用いた表示装置は、極めて少ない消費電力を実現出来る。
【００２６】
次に図１６に基づいて、駆動電圧の印加によって表示パネルの反射率（白の明るさ）が一例としてどのように変化するかを説明する。ここで図１６は、表示パネル５０のセグメントに、駆動電圧ＳＥＧＶ４を印加したときの反射率Ｃ０の変化を示している。ここで前提として、表示パネル５０の共通電極ＣＯＭへの駆動電圧ＣＯＭＶは０ｖが継続して印加され、セグメント電極ＳＥＧには駆動電圧ＳＥＧＶ４が印加される。そして、表示期間Ｔ２ａでのセグメントの表示状態は黒である。
【００２７】
ここで、表示期間Ｔ２ａでの黒の反射率Ｃ０は約５％である。次に、表示反転期間Ｔ１で駆動電圧ＳＥＧＶ４が負電圧−Ｖになると、前述した如く、マイクロカプセル６０内の粒子が移動を開始してセグメントは黒から白に変化し、反射率が上昇する。このときの表示反転期間Ｔ１は、通常３００ｍＳ程度が好ましく、これ以上長い時間、直流電圧を印加すると、マイクロカプセル６０内の粒子が結合して表示パネルの劣化を引き起こす可能性がある。次に、表示反転期間Ｔ１が終了して表示期間Ｔ２ｂに移行すると、駆動電圧ＳＥＧＶ４は再び０ｖに戻るが、セグメントは白表示が保持される。このとき、表示期間Ｔ２ｂでの白の反射率Ｃ０の値は、一例として４０％程度である。
【００２８】
【特許文献１】特開２００７−８６２８０号公報（第７頁、第２図）
【発明の開示】
【発明が解決しようとする課題】
【００２９】
しかしながら、低消費電力を必要とする携帯機器、例えば、電子時計や電子ブック等に、電気泳動型表示パネルを採用する場合、これらの携帯機器は使用者によって様々な環境下で使用される。例えば、夜間での暗い環境下での使用を考慮すると、現状のコントラストが十分であるとは言えず、更にコントラストを向上させて視認性に優れた表示装置が求められている。
【００３０】
本発明の目的は上記課題を解決し、帯電粒子の移動によって表示を行うメモリ性を有する表示パネルを備えた表示装置において、更にコントラストを向上し、視認性に優れた表示装置を提供することである。
【課題を解決するための手段】
【００３１】
上記課題を解決するために、本発明の表示装置は、下記記載の構成を採用する。
【００３２】
本発明の表示装置は、対向する面に電極を有する一対の基板間に帯電粒子が封入され、この帯電粒子の移動によって表示を行うメモリ性を有する表示パネルと、表示データを入力して前記電極に駆動電圧波形を出力する駆動手段と、を備える表示装置であって、駆動電圧波形は、表示反転期間内に表示データに基づく複数の表示反転パルスと、この表示反転パルスを分離する休止期間と、を有し、これら複数の表示反転パルスのうち、少なくとも一つの表示反転パルスは、その直前に配置された他の表示反転パルスのパルス幅より短く設定されており、休止期間は、表示反転期間内に複数回設定され、一つの表示反転パルスの直前に配置された一つの休止期間は、それよりも前に設定された他の休止期間より長いことを特徴とする。
【００３３】
これにより、表示パネルに印加される駆動電圧は、複数の表示反転パルスと、この表示反転パルスを分離する休止期間を有しているので、表示の白と黒のコントラストが向上し、視認性に優れた表示装置を提供出来る。
【００３４】
また、休止期間では、駆動電圧が０Ｖであることを特徴とする。
【００３５】
これにより、０ｖの休止期間によって表示反転パルスが分離されるので、表示の白と黒のコントラストが向上し、視認性に優れた表示装置を実現出来る。
【００３７】
これにより、表示パネルに表示反転パルスの直流電圧が長時間印加されることがないので、直流印加による表示パネルの劣化を防いで信頼性に優れた表示装置を実現することが出来る。また、休止期間を複数回設けることで、休止期間ごとにコントラストが向上するという効果を得られる。
【００３９】
これにより、コントラストが向上すると共に、表示にちらつきが生じることがなく、視認性と表示品質に優れた表示装置を実現することが出来る。
【００４０】
また、駆動電圧は、表示反転パルスが出力される前に表示反転パルスの電圧極性と反対極性の前置反転パルスを有することを特徴とする。
【００４１】
これにより、前置反転パルスが印加されるので、表示パネルに直流電圧が積算されることを低減し、表示パネルの劣化を防いで信頼性に優れた表示装置を実現することが出来る。
【００４２】
また、表示パネルは、一対の基板の電極間に印加される電圧の極性に応じて帯電粒子が電気泳動により移動する電気泳動型表示パネルであって、一対の基板のそれぞれに電極を設け、一対の基板のうち一方の基板の電極は複数のセグメント電極であり、他方の基板の電極は複数のセグメント電極と対向する一つの共通電極であり、駆動波形は、複数のセグメント電極毎に印加されることを特徴とする。
【００４３】
これにより、電気泳動型表示パネルによって、極めて消費電力の少ない表示装置を提供することが出来る。また、電気泳動型表示パネルのセグメント電極毎に駆動波形が印加されるので、コントラストが良好で視認性に優れた表示装置を提供することが出来る。
【発明の効果】
【００４４】
上記の如く本発明によれば、帯電粒子の移動によって表示を行うメモリ性を有する電気泳動型表示パネルにおいて、コントラストが向上し、表示にちらつきが生じることがなく、視認性と表示品質に優れた表示装置を提供することが出来る。
【発明を実施するための最良の形態】
【００４５】
以下、図面により本発明の実施の形態を詳述する。図１は本発明の実施例に係わる表示装置の概略構成を示すブロック図である。図２は本発明の実施例に係わる表示装置の駆動パルス発生部と駆動電圧出力部の内部構成を示す回路図である。図３は参考例１に係わる駆動電圧を説明するタイミングチャートである。図４は参考例１に係わる駆動電圧による表示パネルの反射率を示すグラフである。図５は参考例２に係わる駆動電圧を説明するタイミングチャートである。図６は参考例２に係わる駆動電圧による表示パネルの反射率を示すグラフである。図７は本発明の実施例３に係わる駆動電圧を説明するタイミングチャートである。図８は本発明の実施例３に係わる駆動電圧による表示パネルの反射率を示すグラフである。図９は本発明の実施例４の表示装置に係わる駆動パルス発生部と駆動電圧出力部の内部構成を示す回路図である。図１０は本発明の実施例４に係わる駆動電圧を説明するタイミングチャートである。
【実施例１】
【００４６】
まず、本発明としての表示装置の概略構成を図１に基づいて説明する。図１において、１は本発明の表示装置である。表示装置１は、表示パネル５０と、この表示パネル５０を駆動する駆動手段としてのセグメントドライバを複数集積した駆動ＩＣ２によって構成される。ここで、表示パネル５０は、前述の図１１〜図１３で示した表示パネルと同様な構成であるので、図１においても同一番号を付す。
【００４７】
すなわち、表示パネル５０は、透明な樹脂基板５１とＦＰＣ５５による一対の基板の対向面に形成される共通電極ＣＯＭとセグメント電極ＳＥＧの間に帯電粒子６３が封入され、共通電極ＣＯＭとセグメント電極ＳＥＧに印加される電圧の極性に応じて帯電粒子６３が電気泳動によって移動する電気泳動型表示パネルである。先に記述した図１２のごとく、共通電極ＣＯＭが視認側となり、セグメント電極ＳＥＧは裏面側となる。尚、帯電粒子６３は、図１２で前述したように、マイクロカプセル６０の中に封入された白色粒子６３ａと黒色粒子６３ｂによって構成され、マイクロカプセル６０は、マイクロカプセル表示層５３の中に多数分散しているが、詳細な説明は、ここでは省略する。
【００４８】
次に駆動ＩＣ２は、表示パネル５０を駆動する駆動手段としての複数のセグメントドライバ１０ａ〜１０ｈと、入力回路３等によって構成される。ここで、セグメントドライバ１０ａ〜１０ｈは、表示パネル５０に駆動電圧ＳＥＧＶａ〜ＳＥＧＶｈを出力する。また、駆動ＩＣ２には、クロック信号を発生するクロック回路や、正電圧＋Ｖと負電圧−Ｖを生成する電源回路等も設けられているが、特別な回路ではないので図示を省略している。
【００４９】
ここで、表示パネル５０は、図１３で示したセブンセグメントキャラクタＳＣを１桁表す表示体で構成されることを前提とするならば、セグメント電極数は８個であるので、セグメントドライバも８個で構成される。すなわち、駆動手段としてのセグメントドライバは、表示パネル５０のセグメント電極ごとに設けられ、各セグメント電極を駆動する。尚、表示パネル５０の共通電極ＣＯＭは図示していないが、０ｖに接続されている。
【００５０】
次に駆動ＩＣ２内部の入力回路３は、駆動ＩＣ２の外部から表示データや制御信号を含んだ入力信号Ｐ１を入力し、各セグメントドライバ１０ａ〜１０ｈに伝達する機能を有している。すなわち、入力回路３は、入力信号Ｐ１を入力し、各セグメント電極に対応する表示データＰ２ａ〜Ｐ２ｈと、クロック信号Ｐ３と、表示書換信号Ｐ４を出力する。尚、表示装置１の外部には、図示しないが表示装置１が組み込まれる電子機器の制御部があり、この制御部から表示データや制御信号を含んだ入力信号Ｐ１が出力される。
【００５１】
次に、セグメントドライバ１０ａ〜１０ｈの内部構成を詳述する。尚、セグメントドライバ１０ａ〜１０ｈは、すべて同じ構成であるのでセグメントドライバ１０ａについて説明する。ここで、セグメントドライバ１０ａの内部の１１は、表示データ記憶部としてのシフトレジスタであり、表示データＰ２ａを入力してクロック信号Ｐ３のタイミングで記憶し、現在の表示データである現表示データＰ５ａと、次に書き換えられる表示データである次表示データＰ５ｂを順次出力する。
【００５２】
次に１２は表示推移検出部であり、シフトレジスタ１１の記憶情報である現表示データ
Ｐ５ａと次表示データＰ５ｂを入力し、表示データの推移を検出し分類して表示推移信号Ｐ６ａ〜Ｐ６ｄを出力する。ここで、表示推移信号Ｐ６ａは、駆動されるセグメントが、現在の表示が白（現表示データＰ５ａ＝“０”）で、次の表示も白（次表示データＰ５ｂ＝“０”）のとき、論理“１”となる信号である。また、表示推移信号Ｐ６ｂは、駆動されるセグメントが、現在の表示が黒（現表示データＰ５ａ＝“１”）で、次の表示も黒（次表示データＰ５ｂ＝“１”）のとき、論理“１”となる信号である。
【００５３】
また、表示推移信号Ｐ６ｃは、駆動されるセグメントが、現在の表示が白（現表示データＰ５ａ＝“０”）で、次の表示が黒（次表示データＰ５ｂ＝“１”）のとき、論理“１”となる信号である。また、表示推移信号Ｐ６ｄは、駆動されるセグメントが、現在の表示が黒（現表示データＰ５ａ＝“１”）で、次の表示が白（次表示データＰ５ｂ＝“０”）のとき、論理“１”となる信号である。すなわち、表示推移検出部１２は、表示データの推移を４つに分類し、その検出結果を表示推移信号Ｐ６ａ〜Ｐ６ｄとして出力する。
【００５４】
次に２０は駆動パルス発生部であり、表示推移信号Ｐ６ａ〜Ｐ６ｄを入力し、表示書換信号Ｐ４に同期して表示パネル５０を駆動する駆動制御パルスＰ７ａ、Ｐ７ｂ、Ｐ７ｃを生成し出力する。尚、表示書換信号Ｐ４は、表示パネル５０の表示内容を書き換える毎に、外部から入力されるタイミング信号であるが、シフトレジスタ１１のクロック信号Ｐ３を若干遅延させて、駆動ＩＣ２の内部で生成しても良い。尚、駆動パルス発生部２０の内部構成の詳細は後述する。
【００５５】
次に４０は駆動電圧出力部であり、前述の駆動制御パルスＰ７ａ、Ｐ７ｂ、Ｐ７ｃを入力し、それぞれのパルスを正電圧＋Ｖ、０ｖ、負電圧−Ｖに電圧変換して駆動電圧ＳＥＧＶａとして出力し、表示パネル５０の対応するセグメント電極ＳＥＧを駆動する。尚、電圧値の一例として、正電圧＋Ｖは＋１５Ｖ位の直流電圧であり、負電圧−Ｖは−１５Ｖ位の直流電圧である。また、セグメントドライバ１０ｂ〜１０ｈにおいても、駆動電圧ＳＥＧＶｂ〜ＳＥＧＶｈをそれぞれ出力し、表示パネル５０の各セグメント電極ＳＥＧを駆動する。尚、駆動電圧出力部４０の内部構成の詳細は後述する。
【００５６】
次に駆動パルス発生部２０と駆動電圧出力部４０の内部構成を図２に基づいて詳述する。図２において、駆動パルス発生部２０は、カウンタ回路２１と表示反転ＲＯＭ２２によって構成される。ここで、カウンタ回路２１は、表示書換信号Ｐ４を入力して内部のクロック信号（図示せず）をカウントし、複数のカウント信号Ｐ８を出力する。尚、カウント信号Ｐ８のビット数は限定されないが、例えば、８ビットで構成される。
【００５７】
また、表示反転ＲＯＭ２２は、駆動制御パルスＰ７ａ〜Ｐ７ｃのパターン情報を記憶し出力するＲＯＭ（ＲＥＡＤ  ＯＮＬＹ  ＭＥＭＯＲＹ）であり、下位アドレス（例えば８ビット）にカウント信号Ｐ８を入力し、４ビットの上位アドレスに表示推移信号Ｐ６ａ〜Ｐ６ｄを入力する。この表示反転ＲＯＭ２２が記憶する駆動制御パルスＰ７ａ、Ｐ７ｂ、Ｐ７ｃのパターン情報は、表示推移信号Ｐ６ａ〜Ｐ６ｄの論理によって切り替えられ、また、下位アドレスに入力されるカウンタ信号Ｐ８の推移によって時系列的に順次出力される。
【００５８】
次に、この駆動パルス発生部２０の動作を説明する。ここで、駆動パルス発生部２０のカウンタ回路２１に表示書換信号Ｐ４が入力されると、カウンタ回路２１は、内部クロック信号によってカウントを開始し、例えば、カウンタ回路２１が８ビット仕様であるとすれば、カウント“０”からカウント“２５５”までカウントし、そのカウント値の推移をカウント信号Ｐ８によって表示反転ＲＯＭ２２の下位アドレスに入力する。そして、カウンタ回路２１は、カウント“２５５”からカウント“０”に戻り、次の表示書換信号Ｐ４が入力されるまでカウント動作を停止する。
【００５９】
ここで、カウンタ回路２１の内部クロック信号の周期が例えば１．２ｍＳ位であれば、カウンタ回路２１は、約３００ｍＳ以上の期間、カウント動作を継続しカウント信号Ｐ８を出力する。そして、表示反転ＲＯＭ２２の上位アドレスに表示推移信号Ｐ６ａ〜Ｐ６ｄが入力されることによって、予め記憶されているパターン情報が選択され、下位アドレスにカウント信号Ｐ８が入力されることによって、選択されたパターン情報が駆動制御パルスＰ７ａ、Ｐ７ｂ、Ｐ７ｃとして時系列的に順次出力される。
【００６０】
すなわち、駆動パルス発生部２０は、表示書換信号Ｐ４をスタート信号として、表示推移信号Ｐ６ａ〜Ｐ６ｄによって選択された駆動制御パルスＰ７ａ、Ｐ７ｂ、Ｐ7ｃを所定の期間、つまり画素部において表示データに基づく白または黒表示を行うのに充分な電圧印加期間、時系列的に順次出力する。
【００６１】
次に駆動電圧出力部４０の内部構成を説明する。この駆動電圧出力部４０は、三つの半導体スイッチ４１〜４３によって構成される。半導体スイッチ４１の入力端子４１ａは正電圧＋Ｖに接続され、出力端子４１ｂは駆動電圧ＳＥＧＶのラインに接続され、制御端子４１ｃは駆動制御パルスＰ７ａに接続される。また、半導体スイッチ４２の入力端子４２ａは０ｖに接続され、出力端子４２ｂは駆動電圧ＳＥＧＶのラインに接続され、制御端子４２ｃは駆動制御パルスＰ７ｂに接続される。また、半導体スイッチ４３の入力端子４３ａは負電圧−Ｖに接続され、出力端子４３ｂは駆動電圧ＳＥＧＶのラインに接続され、制御端子４３ｃは駆動制御パルスＰ７ｃに接続される。
【００６２】
この構成により、駆動制御パルスＰ７ａが論理“１”になると、半導体スイッチ４１がＯＮとなって駆動電圧ＳＥＧＶは正電圧＋Ｖが印加され、駆動制御パルスＰ７ｂが論理“１”になると、半導体スイッチ４２がＯＮとなって駆動電圧ＳＥＧＶは０ｖが印加され、駆動制御パルスＰ７ｃが論理“１”になると、半導体スイッチ４３がＯＮとなって駆動電圧ＳＥＧＶは負電圧−Ｖが印加される。これにより、駆動電圧ＳＥＧＶは、正電圧＋Ｖ、０ｖ、負電圧−Ｖの三値の電圧を出力して、表示パネル５０のセグメントを白、又は黒に駆動することが出来る。尚、駆動制御パルスＰ７ａ、Ｐ７ｂ、Ｐ７ｃは二つ以上同時に論理“１”になることはない。
【００６３】
次に図３のタイミングチャートに基づいて、参考例１に係わる駆動電圧ＳＥＧＶ１１〜ＳＥＧＶ１４を出力する動作例を説明する。ここで、この駆動電圧波形は、二つの表示反転パルスとその二つの表示反転パルスを分離する一つの休止期間によって構成される。
【００６４】
図３において、ＣＯＭＶは表示パネル５０の共通電極ＣＯＭに印加される駆動電圧であり、ＳＥＧＶ１１〜ＳＥＧＶ１４はセグメント電極ＳＥＧのいずれかに印加される４種類の駆動電圧波形である。これらの駆動電圧は、表示データ（白又は黒のデータ）に対応して表示反転パルスを印加するための表示反転期間Ｔ１と、その表示反転パルスの印加前の表示状態を維持している表示期間Ｔ２ａと、表示反転パルスの印加後に表示データに対応した表示状態を維持する表示期間Ｔ２ｂとの期間で構成されている。
【００６５】
ここで、共通電極ＣＯＭへの駆動電圧ＣＯＭＶは、前述した如く、常に接地して０ｖの電位とする。次に、外部の制御部（図示せず）から、入力信号Ｐ１に含まれる表示内容を書き換える表示書換信号Ｐ４が来ると、駆動パルス発生部２０は、この表示書換信号Ｐ４に同期して表示推移信号Ｐ６ａ〜Ｐ６ｄに基づいた駆動制御パルスＰ７ａ、Ｐ７ｂ、Ｐ７ｃを出力し、駆動電圧出力部４０は駆動制御パルスＰ７ａ、Ｐ７ｂ、Ｐ７ｃによって駆動電圧ＳＥＧＶ１１〜ＳＥＧＶ１４を出力する。
【００６６】
ここで、ＳＥＧＶ１１は、表示推移信号Ｐ６ａが論理“１”（すなわち、表示データの推移が白→白）のときに出力される駆動電圧である。すなわち、論理“１”である表示推移信号Ｐ６ａが駆動パルス発生部２０の表示反転ＲＯＭ２２に入力され、表示書換信号Ｐ４がカウンタ回路２１に入力されると、表示反転ＲＯＭ２２から駆動制御パルスＰ７ａとＰ７ｃは論理“０”が継続して出力され、駆動制御パルスＰ７ｂは論理“１”が継続して出力される。
【００６７】
これは、表示反転ＲＯＭ２２が、表示推移信号Ｐ６ａの論理“１”において下位アドレスの全領域で、出力である駆動制御パルスＰ７ａ、Ｐ７ｂ、Ｐ７ｃを論理“０”、“１”、“０”として記憶しているからである。この駆動制御パルスＰ７ａ、Ｐ７ｂ、Ｐ７ｃの論理によって、駆動電圧出力部４０の半導体スイッチ４１と４３がＯＦＦ、半導体スイッチ４２がＯＮとなり、常に０ｖの電圧である駆動電圧ＳＥＧＶ１１が出力される。
【００６８】
次にＳＥＧＶ１２は、表示推移信号Ｐ６ｂが論理“１”（すなわち、表示データの推移が黒→黒）のときに出力される駆動電圧である。すなわち、論理“１”である表示推移信号Ｐ６ｂが駆動パルス発生部２０の表示反転ＲＯＭ２２に入力され、表示書換信号Ｐ４がカウンタ回路２１に入力されると、表示反転ＲＯＭ２２から駆動制御パルスＰ７ａとＰ７ｃは論理“０”が継続して出力され、駆動制御パルスＰ７ｂは論理“１”が継続して出力される。
【００６９】
これは、表示反転ＲＯＭ２２が、表示推移信号Ｐ６ｂの論理“１”において下位アドレスの全領域で、出力である駆動制御パルスＰ７ａ、Ｐ７ｂ、Ｐ７ｃを論理“０”、“１”、“０”として記憶しているからである。この駆動制御パルスＰ７ａ、Ｐ７ｂ、Ｐ７ｃの論理によって、駆動電圧出力部４０の半導体スイッチ４１と４３がＯＦＦ、半導体スイッチ４２がＯＮとなり、常に０ｖの電圧である駆動電圧ＳＥＧＶ１２が出力される。
【００７０】
次にＳＥＧＶ１３は、表示推移信号Ｐ６ｃが論理“１”（すなわち、表示データの推移が白→黒）のときに出力される駆動電圧である。すなわち、対応するセグメントの表示内容を白から黒に変化させるときに出力される駆動電圧であり、表示が白のとき、黒に書き換えるために正電圧＋Ｖが所定の時間印加される。
【００７１】
ここで、論理“１”である表示推移信号Ｐ６ｃが駆動パルス発生部２０の表示反転ＲＯＭ２２に入力され、表示書換信号Ｐ４がカウンタ回路２１に入力されてカウント動作が開始すると、表示反転ＲＯＭ２２から約１５０ｍＳの期間、駆動制御パルスＰ７ａ、Ｐ７ｂ、Ｐ７ｃが論理“１”、”０“、”０”となり、その後、約２０ｍＳの期間、駆動制御パルスＰ７ａ、Ｐ７ｂ、Ｐ７ｃが論理“０”、”１“、”０”となり、その後再び約１５０ｍＳの期間、駆動制御パルスＰ７ａ、Ｐ７ｂ、Ｐ７ｃが論理“１”、”０“、”０”となる。そして、カウンタ回路２１のカウント値が“０”に戻ると、駆動制御パルスＰ７ａ、Ｐ７ｂ、Ｐ７ｃは論理“０”、”１“、”０”に固定される。
【００７２】
この駆動制御パルスＰ７ａ、Ｐ７ｂ、Ｐ７ｃの論理の推移によって、駆動電圧出力部４０の半導体スイッチ４１が約１５０ｍＳの期間ＯＮとなり、その後、半導体スイッチ４２が約２０ｍＳの期間ＯＮとなり、その後再び、半導体スイッチ４１が約１５０ｍＳの期間ＯＮとなり、それ以降、半導体スイッチ４２が継続してＯＮとなる。
【００７３】
これにより、図示するように駆動電圧ＳＥＧＶ１３は、表示書換信号Ｐ４に同期して開始される表示反転期間Ｔ１において、約１５０ｍＳの期間正電圧＋Ｖである表示反転パルスＰ１０ａが出力され、その後、約２０ｍＳの期間０ｖである休止期間Ｐ１０ｂが出力され、更にその後再び、約１５０ｍＳの期間正電圧＋Ｖである表示反転パルスＰ１０ｃが出力され、それ以降、表示期間Ｔ２ｂにおいて０ｖが継続して出力される。
【００７４】
次にＳＥＧＶ１４は、表示推移信号Ｐ６ｄが論理“１”（すなわち、表示データの推移が黒→白）のときに出力される駆動電圧である。すなわち、対応するセグメントの表示内容を黒から白に変化させるときに出力される駆動電圧であり、表示が黒のとき、白に書き換えるために負電圧−Ｖが所定の時間印加される。
【００７５】
ここで、論理“１”である表示推移信号Ｐ６ｄが駆動パルス発生部２０の表示反転ＲＯＭ２２に入力され、表示書換信号Ｐ４がカウンタ回路２１に入力されてカウント動作が開始すると、表示反転ＲＯＭ２２から約１５０ｍＳの期間、駆動制御パルスＰ７ａ、Ｐ７ｂ、Ｐ７ｃが論理“０”、”０“、”１”となり、その後、約２０ｍＳの期間、駆動制御パルスＰ７ａ、Ｐ７ｂ、Ｐ７ｃが論理“０”、”１“、”０”となり、その後再び約１５０ｍＳの期間、駆動制御パルスＰ７ａ、Ｐ７ｂ、Ｐ７ｃが論理“０”、”０“、”１”となる。そして、カウンタ回路２１のカウント値が“０”に戻ると、駆動制御パルスＰ７ａ、Ｐ７ｂ、Ｐ７ｃは論理“０”、”１“、”０”に固定される。
【００７６】
この駆動制御パルスＰ７ａ、Ｐ７ｂ、Ｐ７ｃの論理の推移によって、駆動電圧出力部４０の半導体スイッチ４３が約１５０ｍＳの期間ＯＮとなり、その後、半導体スイッチ４２が約２０ｍＳの期間ＯＮとなり、その後再び、半導体スイッチ４３が約１５０ｍＳの期間ＯＮとなり、それ以降、半導体スイッチ４２が継続してＯＮとなる。
【００７７】
これにより、図示するように駆動電圧ＳＥＧＶ１４は、表示書換信号Ｐ４に同期して開始される表示反転期間Ｔ１において、約１５０ｍＳの期間負電圧−Ｖである表示反転パルスＰ１１ａが出力され、その後、約２０ｍＳの期間０ｖである休止期間Ｐ１１ｂが出力され、更にその後再び、約１５０ｍＳの期間負電圧−Ｖである表示反転パルスＰ１１ｃが出力され、それ以降、表示期間Ｔ２ｂにおいて０ｖが継続して出力される。
【００７８】
すなわち、参考例１に係わる駆動電圧は、表示を白→黒、または、黒→白に反転させるための表示反転期間Ｔ１において、二つの表示反転パルスと、この二つの表示反転とを分離する休止期間によって構成される。
【００７９】
このように参考例１のセグメントドライバによって駆動電圧ＳＥＧＶ１１〜ＳＥＧＶ１４が出力出来るのは、表示推移信号Ｐ６ａ〜Ｐ６ｄの論理に基づいて表示反転ＲＯＭ２２に記憶されたパターン情報が選択され、カウンタ回路２１のカウント動作によって表示反転ＲＯＭ２２の下位アドレスが推移して、駆動制御パルスＰ７ａ、Ｐ７ｂ、Ｐ７ｃが順次出力されるからである。尚、セグメントドライバ１０ａ〜１０ｈの動作は、後述する例２〜４においても同様である。
【００８０】
次に図４に基づいて、参考例１による駆動電圧の印加によって表示パネルの反射率（白の明るさ）がどのように改善されるかを説明する。ここで図４は、表示パネル５０のセグメントに、参考例１の駆動電圧ＳＥＧＶ１４を印加したときの反射率Ｃ１の変化の一例を示している。ここで前提として、表示期間Ｔ２ａでのセグメントの表示状態は黒であり、このときの反射率Ｃ１を５％とする。
【００８１】
ここで、表示反転期間Ｔ１が開始し、表示反転パルスＰ１１ａによって負電圧−Ｖがセグメント電極に約１５０ｍＳ印加されると、マイクロカプセル６０内の正に帯電した黒色粒子６３ｂがセグメント電極ＳＥＧ側へ、負に帯電した白色粒子６３ａは透明な共通電極ＣＯＭ側へ、移動するので、セグメントは黒から白へと変化し、反射率Ｃ１が増加する。次に休止期間Ｐ１１ｂでは、セグメント電極への電圧は約２０ｍＳの期間０ｖとなるので、反射率Ｃ１はほとんど変化しない。
【００８２】
そして、休止期間Ｐ１１ｂ終了後、２回目の電圧印加として表示反転パルスＰ１１ｃによって負電圧−Ｖが約１５０ｍＳ再び印加されると、セグメントの白の反射率が上昇するので、反射率Ｃ１の値が増加し、その後の表示期間２ｂにおいては、その反射率Ｃ１がほぼ維持される。この２回目の表示反転パルスＰ１１ｃの印加によって反射率Ｃ１が増加する理由は、休止期間Ｐ１１ｂにおいて共通電極ＣＯＭとセグメント電極ＳＥＧの中間位置に留まっていた白色粒子６３ａと黒色粒子６３ｂが、新たな電界の変化で各電極に引き寄せられ、動き出すことによって白の反射率が上昇すると考えられる。
【００８３】
ここで図４において、比較のために前述した図１６における従来の駆動電圧ＳＥＧＶ４による反射率Ｃ０を破線で示している。ここで明らかなように、参考例１による反射率Ｃ１は従来の駆動電圧による反射率Ｃ０より向上していることが理解できる。ここで、従来例の白の反射率Ｃ０が４０％程度であるとするならば、一例として本発明による白の反射率Ｃ１の値は４１％程度に改善される。
【００８４】
また、図４においては、セグメントに負電圧−Ｖを印加する駆動電圧ＳＥＧＶ１４を例として説明したが、セグメントに正電圧＋Ｖを印加する駆動電圧ＳＥＧＶ１３においても、休止期間を持たせることで、反射率は低下し、黒はより黒くなる。ここで、駆動電圧ＳＥＧＶ１３による黒の反射率は、従来では約５％だった値が約４％〜４．５％に改善され、この結果、表示の白と黒の比であるコントラストを向上させることが出来る。
【００８５】
以上のように本発明によるならば、電気泳動型表示パネルにおいて、白はより白さを増し、黒はより黒さを増してコントラストが向上し、視認性に優れた表示装置を提供することが出来る。また、電気泳動型表示パネルは駆動電圧を印加して表示データを書き込み後、長時間、電圧無印加状態を続けると、表示層における帯電粒子に僅かながら自由な流動が生じ、白又は黒の表示濃度が変化して灰色に近づく傾向があり、表示のコントラストが次第に低下して視認性が悪くなるという問題がある。しかし本発明によれば、コントラストが向上するので、書き込み後の時間経過によるコントラストの低下が減少し、表示の濃淡ムラが低減して表示品質が常に良好な表示装置を実現できる。
【００８６】
尚、従来例の駆動電圧ＳＥＧＶ４と本発明の駆動電圧ＳＥＧＶ１４の負電圧−Ｖの印加時間は共に３００ｍＳであり、本発明は表示反転パルスの印加時間が同条件で、コントラストを向上させることが出来る。なお、従来例の駆動電圧ＳＥＧＶ４を３００ｍｓより長くしても、コントラストは、ほとんど改善せず、逆に直流印加により、寿命が短くなる弊害が発生する。
【００８７】
また、参考例１の駆動電圧ＳＥＧＶ１４においては、表示反転パルスＰ１０ａ、Ｐ１０ｃのそれぞれのパルス幅は約１５０ｍＳであり、また、休止期間Ｐ１０ｂは２０ｍＳとして説明したが、これらの値は限定されず、表示反転ＲＯＭ２２に記憶されている駆動制御パルスＰ７ａ、Ｐ７ｂ、Ｐ７ｃのパターン情報、又は、カウンタ回路２１がカウントするクロック信号の周期を変えることによって、任意に変更することが出来る。
【００８８】
尚、表示反転パルスの合計パルス幅が長くなると、表示パネルに直流電圧が長時間印加されて表示パネルの劣化を早めて寿命が短くなる危険性がある。よって、表示反転パルスＰ１１ａ、Ｐ１１ｃの合計パルス幅は、画素部において表示データに基づく白または黒表示を行うのに充分なパルス幅であればよく、本実施例で用いた表示パネルを２５℃で駆動する場合は３００ｍＳ程度が好ましく、長くても約４００ｍＳ以下が良い。低温では、３００ｍＳより長い幅が好ましく、例えば−１０℃では、５００〜１０００ｍＳ程度が好ましい。また高温では、３００ｍｓより短い幅、例えば５０℃では、１５０ｍＳ程度が好ましい。このように、複数の表示反転パルスの合計パルス幅を制御することによって、表示パネルに直流電圧が長時間印加されることがないので、直流印加による表示パネルの劣化
を防いで信頼性に優れた表示装置を実現することが出来る。
【００８９】
また、休止期間Ｐ１１ｂは、短い時間であると表示反転パルスを分離できず、コントラストが向上する効果が弱くなるので、約１０ｍＳ以上であることが好ましい。また、休止期間Ｐ１１ｂが長くなると、表示反転パルスが離れすぎて表示にちらつき等が生じて表示品質が低下する可能性がある。よって、複数の表示反転パルスと休止期間を含めた表示反転期間Ｔ１の合計時間は、約５００ｍＳ以下であると良い。尚、正電圧＋Ｖを印加する駆動電圧ＳＥＧＶ１３についても同様である。このように表示反転パルスのパルス幅と休止期間の合計時間を所定時間以下とすることで、表示パネルに直流電圧が長時間印加されることがないと共に、休止期間の間隔も規制されるので、表示パネルの劣化を防ぐと共に、表示にちらつきが生じることがなく、信頼性と表示品質に優れた表示装置を実現することが出来る。
【実施例２】
【００９０】
次に図５のタイミングチャートに基づいて、参考例２に係わる駆動電圧ＳＥＧＶ２１〜ＳＥＧＶ２４を出力する動作例を説明する。ここで、参考例２の駆動電圧は、三つの表示反転パルスとその三つの表示反転パルスを分離する二つの休止期間によって構成される。尚、参考例２の駆動電圧の生成は、先に示した表示装置のブロック図及び回路図（図１、図２参照）の構成によって実現されるので、構成の説明は省略する。
【００９１】
ここで図５に示す駆動電圧ＣＯＭＶは、参考例１の駆動電圧ＣＯＭＶと同様であるので説明は省略する。また、駆動電圧ＳＥＧＶ２１、ＳＥＧＶ２２は、同じく参考例１の駆動電圧ＳＥＧＶ１１、ＳＥＧＶ１２と同様であるので説明は省略する。また、駆動電圧ＳＥＧＶ２１〜ＳＥＧＶ２４は、参考例１の駆動電圧波形と同様に表示データ（白又は黒のデータ）に対応して表示反転パルスを印加するための表示反転期間Ｔ１と、その表示反転パルスの印加前の表示状態を維持している表示期間Ｔ２ａと、表示反転パルスの印加後に表示データに対応した表示状態を維持する表示期間Ｔ２ｂとの期間で構成されている。
【００９２】
ここでＳＥＧＶ２３およびＳＥＧＶ２４における、表示推移信号Ｐ６ｃ、Ｐ６ｄと、駆動制御パルスＰ７ａ、Ｐ７ｂ、Ｐ７ｃとの関係については、先の例と同様であるため、ここでは詳細な説明を省略する。
【００９３】
図５に図示するように駆動電圧ＳＥＧＶ２３は、表示書換信号Ｐ４に同期して開始される表示反転期間Ｔ１において、約１００ｍＳの期間正電圧＋Ｖである表示反転パルスＰ１２ａが出力され、その後、約２０ｍＳの期間０ｖである休止期間Ｐ１２ｂが出力される。そして、その後再び約１００ｍＳの期間正電圧＋Ｖである表示反転パルスＰ１２ｃが出力され、その後再び約２０ｍＳの期間０ｖである休止期間Ｐ１２ｄが出力され、その後再び約１００ｍＳの期間正電圧＋Ｖである表示反転パルスＰ１２ｅが出力さる。そしてそれ以降、表示期間Ｔ２ｂにおいて０ｖが継続して出力される。
【００９４】
また駆動電圧ＳＥＧＶ２４は、表示書換信号Ｐ４に同期して開始される表示反転期間Ｔ１において、約１００ｍＳの期間負電圧−Ｖである表示反転パルスＰ１３ａが出力され、その後、約２０ｍＳの期間０ｖである休止期間Ｐ１３ｂが出力される。そして、その後再び約１００ｍＳの期間負電圧−Ｖである表示反転パルスＰ１３ｃが出力され、その後再び約２０ｍＳの期間０ｖである休止期間Ｐ１３ｄが出力され、その後再び約１００ｍＳの期間負電圧−Ｖである表示反転パルスＰ１３ｅが出力さる。そしてそれ以降、表示期間Ｔ２ｂにおいて０ｖが継続して出力される。
【００９５】
すなわち、参考例２に係わる駆動電圧は、表示を白→黒、または、黒→白に反転させるための表示反転期間Ｔ１において、三つの表示反転パルスと、この三つの表示反転パルスとを分離する二つの休止期間によって構成される。
【００９６】
次に図６に基づいて、本発明の表示装置の参考例２による駆動電圧の印加によって表示パネルのコントラストがどのように改善されるかを説明する。ここで図６は、表示パネル５０のセグメントに、参考例２の駆動電圧ＳＥＧＶ２４を印加したときの反射率Ｃ２の変化の一例を示している。ここで前提として、表示期間Ｔ２ａでのセグメントの表示状態は黒であり、このときの反射率Ｃ２を５％とする。
【００９７】
ここで、表示反転期間Ｔ１が開始し、表示反転パルスＰ１３ａによって負電圧−Ｖがセグメント電極ＳＥＧに約１００ｍＳ印加されると、マイクロカプセル６０内の正に帯電した黒色粒子６３ｂがセグメント電極ＳＥＧ側へ、負に帯電した白色粒子６３ａは透明な共通電極ＣＯＭ側へ移動するので、セグメントは黒から白へと変化し、反射率Ｃ２が増加する。次に休止期間Ｐ１３ｂでは、セグメント電極への電圧は約２０ｍＳの期間０ｖとなるので、反射率Ｃ２はほとんど変化しない。
【００９８】
そして、休止期間Ｐ１３ｂ終了後、２回目の電圧印加として表示反転パルスＰ１３ｃによって負電圧−Ｖが約１００ｍＳの期間再び印加されると、セグメントの黒の濃度が上昇するので、反射率Ｃ２の値が増加する。その後の休止期間Ｐ１３ｄでは、セグメント電極への電圧は約２０ｍＳの期間０ｖとなり、反射率Ｃ２はほとんど変化しない。そして、休止期間Ｐ１３ｄ終了後、３回目の電圧印加として表示反転パルスＰ１３ｅによって負電圧−Ｖが約１００ｍＳの期間再び印加されると、セグメントの白の反射率は更に上昇し、反射率Ｃ２の値が増加する。
【００９９】
そして、その後の表示期間Ｔ２ｂにおいては、その反射率Ｃ２の値がほぼ維持される。この２回目及び３回目の表示反転パルスＰ１３ｃ、及びＰ１３ｅの印加によって反射率Ｃ２が段階的に増加する理由は、先に述べた理由と同様である。
【０１００】
ここで図６において、比較のために前述した図１６における従来の駆動電圧ＳＥＧＶ４による反射率Ｃ０と、参考例１による反射率Ｃ１を破線で示している。ここで明らかなように、本発明の参考例２による反射率Ｃ２は、従来の反射率Ｃ０、及び参考例１の反射率Ｃ１より向上していることが理解できる。また、図６においては、セグメントに負電圧−Ｖを印加する駆動電圧ＳＥＧＶ２４を例として説明したが、セグメントに正電圧＋Ｖを印加する駆動電圧ＳＥＧＶ２３においても、休止期間を持たせることで、反射率は低下し黒はより黒くなり、コントラストを向上させることが出来、駆動電圧ＳＥＧＶ２３及び駆動
電圧ＳＥＧＶ２４は、共に同様の効果を得ることが出来る。
【０１０１】
また、参考例２の駆動電圧ＳＥＧＶ２４においては、表示反転パルスＰ１３ａ、Ｐ１３ｃ、Ｐ１３ｅのそれぞれのパルス幅は約１００ｍＳであり、また、休止期間Ｐ１３ｂ、Ｐ１３ｄは共に２０ｍＳであるが、先と同様に、これらの値は限定されず、表示反転ＲＯＭ２２に記憶されている駆動制御パルスＰ７ａ、Ｐ７ｂ、Ｐ７ｃのパターン情報、又は、カウンタ回路２１がカウントするクロック信号の周期を変えることによって、任意に変更することが出来る。
【０１０２】
また、参考例２の駆動電圧は三つの表示反転パルスとその表示反転パルスを分離する二つの休止期間によって構成されるが、この構成に限定されず、例えば、表示反転パルスの数を四つ以上に増やし、各表示反転パルスを分離する休止期間を設けても良い。ただし、前述したように、直流電圧の印加時間を長くしないため、表示反転パルスの合計パルス時間は室温において３００ｍＳ程度が好ましく、また、表示のちらつきを防ぐために、複数の表示反転パルスと休止期間を含めた表示反転期間Ｔ１の合計時間は、約５００ｍＳ以下であると良い。
【０１０３】
以上のように、休止期間を複数回設けることで、休止期間ごとに白はより白さを増し、黒はより黒さを増してコントラストが向上し、電気泳動型表示パネルにおいて、視認性に優れた表示装置を提供することが出来る。また、表示パネルに直流電圧が長時間印加されることがなく、また、休止期間の間隔も規制されるので、表示パネルの劣化と表示のちらつきを防いで、信頼性と表示品質に優れた表示装置を提供することが出来る。
【実施例３】
【０１０４】
次に図７のタイミングチャートに基づいて、本発明の実施例３に係わる駆動電圧ＳＥＧＶ３１〜ＳＥＧＶ３４を出力する動作例を説明する。ここで、実施例３の駆動電圧は、三つの表示反転パルスとその三つの表示反転パルスを分離する二つの休止期間によって構成され、二つ目の休止期間が長く、三つ目の表示反転パルスのパルス幅が短い特徴がある。尚、実施例３の駆動電圧の生成は、先に示した表示装置のブロック図及び回路図（図１、図２参照）の構成によって実現されるので、構成の説明は省略する。
【０１０５】
ここで図７に示す駆動電圧ＣＯＭＶは、参考例１の駆動電圧と同様であるので説明は省略する。また、駆動電圧ＳＥＧＶ３１、ＳＥＧＶ３２は、同じく参考例１の駆動電圧である駆動電圧ＳＥＧＶ１１、ＳＥＧＶ１２と同様であるので説明は省略する。また、駆動電圧ＳＥＧＶ３１〜ＳＥＧＶ３４は、参考例１及び２の駆動電圧と同様に表示データ（白又は黒のデータ）に対応して表示反転パルスを印加するための表示反転期間Ｔ１と、その表示反転パルスの印加前の表示状態を維持している表示期間Ｔ２ａと、表示反転パルスの印加後に表示データに対応した表示状態を維持する表示期間Ｔ２ｂとの期間で構成されている。
【０１０６】
ここでＳＥＧＶ３３およびＳＥＧＶ３４における、表示推移信号Ｐ６ｃ、Ｐ６ｄと駆動制御パルスＰ７ａ、Ｐ７ｂ、Ｐ７ｃとの関係については、先と同様であるため、ここでは詳細な説明を省略する。
【０１０７】
図７に図示するように駆動電圧ＳＥＧＶ３３は、表示書換信号Ｐ４に同期して開始される表示反転期間Ｔ１において、約１４５ｍＳの期間正電圧＋Ｖである表示反転パルスＰ１４ａが出力され、その後、約２０ｍＳの期間０ｖである休止期間Ｐ１４ｂが出力される。そして、その後再び約１４５ｍＳの期間正電圧＋Ｖである表示反転パルスＰ１４ｃが出力され、その後再び約１００ｍＳの期間０ｖである休止期間Ｐ１４ｄが出力され、その後再び約１０ｍＳの期間正電圧＋Ｖである表示反転パルスＰ１４ｅが出力さる。そしてそれ以降、表示期間Ｔ２ｂにおいて０ｖが継続して出力される。
【０１０８】
また駆動電圧ＳＥＧＶ３４は、表示書換信号Ｐ４に同期して開始される表示反転期間Ｔ１において、約１４５ｍＳの期間負電圧−Ｖである表示反転パルスＰ１５ａが出力され、その後、約２０ｍＳの期間０ｖである休止期間Ｐ１５ｂが出力される。そして、その後再び約１４５ｍＳの期間負電圧−Ｖである表示反転パルスＰ１５ｃが出力され、その後再び約１００ｍＳの期間０ｖである休止期間Ｐ１５ｄが出力され、その後再び約１０ｍＳの期間負電圧−Ｖである表示反転パルスＰ１５ｅが出力さる。そしてそれ以降、表示期間Ｔ２ｂにおいて０ｖが継続して出力される。
【０１０９】
すなわち、実施例３に係わる駆動電圧は、表示を白→黒、または、黒→白に反転させるための表示反転期間Ｔ１において、三つの表示反転パルスと、この三つの表示反転パルスとを分離する二つの休止期間によって構成され、二つ目の休止期間が長く、三つ目の表示反転パルスのパルス幅が短い。
【０１１０】
次に図８に基づいて、本発明の表示装置の実施例３に係わる駆動電圧の印加によって表示パネルのコントラストがどのように改善されるかを説明する。ここで図８は、表示パネル５０のセグメントに、実施例３による駆動電圧ＳＥＧＶ３４を印加したときの反射率Ｃ３の変化の一例を示している。ここで前提として、表示期間Ｔ２ａでのセグメントの表示状態は黒であり、このときの反射率Ｃ３を５％とする。
【０１１１】
ここで、表示反転期間Ｔ１が開始し、表示反転パルスＰ１５ａによって負電圧−Ｖがセグメント電極ＳＥＧに約１４５ｍＳ印加されると、マイクロカプセル６０内の正に帯電した黒色粒子６３ｂがセグメント電極ＳＥＧ側へ、負に帯電した白色粒子６３ａは透明な共通電極ＣＯＭ側へ移動するので、セグメントは黒から白へと変化し、反射率Ｃ３が増加する。次に休止期間Ｐ１５ｂでは、セグメント電極への電圧は約２０ｍＳの期間０ｖとなるので、反射率Ｃ３はほとんど変化しない。
【０１１２】
そして、休止期間Ｐ１５ｂ終了後、２回目の電圧印加として表示反転パルスＰ１５ｃによって負電圧−Ｖが約１４５ｍＳの期間再び印加されると、セグメントの黒の濃度が上昇するので、反射率Ｃ３の値が増加する。その後の２回目の休止期間Ｐ１５ｄでは、セグメント電極への電圧は約１００ｍＳの期間０ｖとなり、この期間、反射率Ｃ３はほとんど変化しない。そして、休止期間Ｐ１５ｄ終了後、３回目の電圧印加として表示反転パルスＰ１５ｅによって負電圧−Ｖが約１０ｍＳの期間再び印加されると、セグメントの白の反射率は更に上昇し、反射率Ｃ３の値が増加する。
【０１１３】
そして、その後の表示期間Ｔ２ｂにおいては、その反射率Ｃ３の値がほぼ維持される。この２回目及び３回目の表示反転パルスＰ１５ｃ、及びＰ１５ｅの印加によって反射率Ｃ３が段階的に増加する理由は、先で述べた理由と同様である。
【０１１４】
そして、休止期間後の表示反転パルスによる電圧印加によって生じる反射率の増加は、この実施例３のように休止期間が長いほうが、増加率が大きいことが実験的に確認できている。しかし、休止期間を長くし過ぎると、表示にちらつきが生じて表示品質が低下するので、休止期間を長目に設定して反射率を更に向上させる場合は、本実施例のように休止期間は１００ｍＳ程度が良く、上限でも約１５０ｍＳ以下にすると良い。
【０１１５】
また、長い休止期間の後の表示反転パルスのパルス幅は、この実施例３のように、比較的短くても反射率を増加させることが出来る。例えば、休止期間を長目の５０ｍＳ以上とするならば、その休止期間の後に出力される表示反転パルスのパルス幅は、休止期間の前の表示反転パルスのパルス幅より短くし、例えば、２０ｍＳ以下にすると良い。
【０１１６】
すなわち、長い休止期間（例えば１００ｍＳ）の後に、長い表示反転パルス（例えば１００ｍＳ）を印加させると、反射率は向上するが、表示にちらつきが生じやすくなり好ましくない。また、直流電圧の印加時間を増やさないために、実施例３においても、表示反転パルスのパルス幅の合計時間は３００ｍＳ程度が良い。
【０１１７】
ここで図８において、比較のために前述した図１６に図示した従来の駆動電圧ＳＥＧＶ４による反射率Ｃ０、参考例１による反射率Ｃ１、参考例２による反射率Ｃ２を破線で示している。ここで明らかなように、本発明の実施例３による反射率Ｃ３は、従来の反射率Ｃ０、及び参考例１の反射率Ｃ１、参考例２の反射率Ｃ２より向上していることが理解できる。また、図８においては、セグメントに負電圧−Ｖを印加する駆動電圧ＳＥＧＶ３４を例として説明したが、セグメントに正電圧＋Ｖを印加する駆動電圧ＳＥＧＶ３３においても、休止期間を持たせることで、反射率は低下し黒はより黒くなり、コントラストを向上させることが出来、駆動電圧ＳＥＧＶ３３及び駆動電圧ＳＥＧＶ３４は、共に同様の効果を得ることが出来る。
【０１１８】
以上のように本発明の実施例３によるならば、電気泳動型表示パネルにおいて、白はより白さを増し、黒はより黒さを増してコントラストを更に向上させて視認性に優れた表示装置を提供することが出来る。また、表示パネルに直流電圧が長時間印加されることがなく、また、休止期間の間隔も規制されるので、表示パネルの劣化と表示のちらつきを防いで、信頼性と表示品質に優れた表示装置を提供することが出来る。
【０１１９】
また、実施例３の駆動電圧のパルス数とそれぞれの表示反転パルスのパルス幅と休止期間は、先の実施例同様、限定されるものではなく、表示反転ＲＯＭ２２に記憶されている駆動制御パルスＰ７ａ、Ｐ７ｂ、Ｐ７ｃのパターン情報、又は、カウンタ回路２１がカウントするクロック信号の周期を変えることによって、前述した範囲内で任意に変更することが出来る。
【０１２０】
また、例１〜３のそれぞれの駆動電圧の波形パターンは、駆動パルス発生回路２０に内蔵される表示反転パルスＲＯＭ２２（図２参照）に記憶されるパターン情報を変更するだけで実現することが出来る。よって、本発明の特徴である複数の表示反転パルスとその表示反転パルスを分離する休止期間を有する駆動電圧は、この表示反転パルスＲＯＭ２２の記憶情報を変更することだけでパルス幅や休止期間を調整できるので、本発明の要旨を逸脱しない範囲で、様々な駆動電圧に変更することが可能である。
【実施例４】
【０１２１】
次に本発明の表示装置の実施例４に係わる構成を図９に基づいて説明する。実施例４の特徴は、表示反転パルスの出力前に表示反転パルスの電圧極性と反対極性の前置反転パルスを出力することである。ここで、実施例４は参考例１で示したセグメントドライバ１０ａ〜１０ｈの内部の駆動パルス発生部のみ構成が異なる。
【０１２２】
ここで、図９において３０は、本発明の実施例４に係わる駆動パルス発生部であり、カウンタ回路２１、表示反転ＲＯＭ２２，前置反転ＲＯＭ３１、ＯＲ回路３２ａ、３２ｂ、３２ｃによって構成される。ここで、カウンタ回路２１は、参考例１と同じ構成であり、表示書換信号Ｐ４を入力して内部のクロック信号（図示せず）をカウントし、複数のカウント信号Ｐ８を出力する。尚、カウント信号Ｐ８のビット数は限定されないが、例えば、８ビットで構成される。
【０１２３】
また、表示反転ＲＯＭ２２は、先の例と同じ構成であり、駆動制御パルスＰ７ａ、Ｐ７ｂ、Ｐ７ｃのパターン情報を記憶し出力するＲＯＭであり、下位アドレス（例えば８ビット）にカウント信号Ｐ８を入力し、４ビットの上位アドレスに表示推移信号Ｐ６ａ〜Ｐ６ｄを入力する。
【０１２４】
また、前置反転ＲＯＭ３１は実施例４で追加された回路であり、この前置反転ＲＯＭ３１は下位アドレス（例えば８ビット）にカウント信号Ｐ８と、２ビットの上位アドレスに表示推移信号Ｐ６ｃ、Ｐ６ｄをそれぞれ入力し、駆動制御パルスＰ７ｄ、Ｐ７ｅ、Ｐ７ｆのパターン情報を記憶し出力する。この前置反転ＲＯＭ３１が記憶する駆動制御パルスＰ７ｄ、Ｐ７ｅ、Ｐ７ｆのパターン情報は、表示推移信号Ｐ６ｃ、Ｐ６ｄの論理によって切り替えられ、また、下位アドレスに入力されるカウンタ信号Ｐ８の推移によって時系列的に順次出力される。
【０１２５】
また、ＯＲ回路３２ａ、３２ｂ、３２ｃは実施例４で追加された回路であり、表示反転ＲＯＭ２２の出力である駆動制御パルスＰ７ａ、Ｐ７ｂ、Ｐ７ｃと前置反転ＲＯＭ３１の出力である駆動制御パルスＰ７ｄ、Ｐ７ｅ、Ｐ７ｆをそれぞれ入力して論理和を行い、合成駆動制御パルスＰ９ａ、Ｐ９ｂ、Ｐ９ｃを出力する。そして、合成駆動制御パルスＰ９
ａ、Ｐ９ｂ、Ｐ９ｃは駆動電圧出力部４０の半導体スイッチ４１〜４３の各制御端子４１ｃ〜４３ｃに入力される。
【０１２６】
次に、実施例４の動作を駆動パルス発生部３０を中心に説明する。ここで、駆動パルス発生部３０のカウンタ回路２１に表示書換信号Ｐ４が入力されると、カウンタ回路２１は、内部クロック信号によってカウントを開始し、例えば、カウンタ回路２１が８ビット仕様であれば、カウント“０”からカウント“２５５”までカウントし、そのカウント値の推移をカウント信号Ｐ８によって表示反転ＲＯＭ２２の下位アドレスに入力する。そして、カウンタ回路２１は、カウントが“２５５”からカウント“０”に戻り、次の表示書換信号Ｐ４が入力されるまでカウント動作を停止する。
【０１２７】
ここで、内部クロック信号の周期が例えば１．２ｍＳ位であれば、カウンタ回路２１は、約３００ｍＳ以上の期間、カウント動作を継続しカウント信号Ｐ８を出力する。尚、内部クロック信号の周期は限定されない。そして、前置反転ＲＯＭ３１の上位アドレスに表示推移信号Ｐ６ｃ、Ｐ６ｄが入力されることによって、予め記憶されている駆動制御パルスＰ７ｄ、Ｐ７ｅ、Ｐ７ｆのパターン情報が選択され、下位アドレスにカウント信号Ｐ８が入力されることによって、選択された出力パターンが駆動制御パルスＰ７ｄ、Ｐ７ｅ、Ｐ７ｆとして時系列的に順次出力される。
【０１２８】
次に、前置反転ＲＯＭ３１の出力である駆動制御パルスＰ７ｄ、Ｐ７ｅ、Ｐ７ｆは、それぞれＯＲ回路３２ａ、３２ｂ、３２ｃに入力され、表示反転ＲＯＭ２２からの駆動制御パルスＰ７ａ、Ｐ７ｂ、Ｐ７ｃと論理和されて、それぞれ合成された合成駆動制御パルスＰ９ａ、Ｐ９ｂ、Ｐ９ｃが出力される。すなわち、表示反転ＲＯＭ２２の出力と前置反転
ＲＯＭ３１の出力が合成されて一組の駆動制御パルスとなる。そして、この合成駆動制御パルスＰ９ａ、Ｐ９ｂ、Ｐ９ｃは、駆動電圧出力部４０に入力されて駆動電圧ＳＥＧＶが生成されるが、駆動電圧出力部４０は、参考例１と同一であるので説明は省略する。
【０１２９】
次に図１０のタイミングチャートに基づいて、本発明の実施例４に係わる駆動電圧ＳＥＧＶ４１〜ＳＥＧＶ４４を出力する動作例を説明する。ここで図１０に示す駆動電圧ＣＭＯＶは、参考例１の駆動電圧と同様であるので説明は省略する。また、駆動電圧ＳＥＧＶ４１、ＳＥＧＶ４２は、同じく参考例１の駆動電圧である駆動電圧ＳＥＧＶ１１、ＳＥＧＶ１２と同様であるので説明は省略する。
【０１３０】
また、駆動電圧ＳＥＧＶ４１〜ＳＥＧＶ４４は、表示データ（白又は黒のデータ）に対応して表示反転パルスを印加するための表示反転期間Ｔ１と、その表示反転パルスの印加前の表示状態を維持している表示期間Ｔ２ａと、表示反転パルスの印加後に表示データに対応した表示状態を維持する表示期間Ｔ２ｂ、及び、実施例４の特徴である表示反転期間Ｔ１の前に置かれる前置反転期間Ｔ０で構成される。
【０１３１】
ここでＳＥＧＶ４３は、表示推移信号Ｐ６ｃが論理“１”（すなわち、表示データの推移が白→黒）のときに出力される駆動電圧であり、表示が白のとき、黒に書き換えるために正電圧＋Ｖが所定の時間印加される。ここで、論理“１”である表示推移信号Ｐ６ｃが駆動パルス発生部３０の表示反転ＲＯＭ２２と前置反転ＲＯＭ３１に入力され、表示書換信号Ｐ４がカウンタ回路２１に入力されてカウント動作を開始すると、前置反転ＲＯＭ３１から約５ｍＳの期間、駆動制御パルスＰ７ｄ、Ｐ７ｅ、Ｐ７ｆは論理“０”、”０“、”１”となり、その後、駆動制御パルスＰ７ｄ、Ｐ７ｅ、Ｐ７ｆは論理“０”、”０“、”０”が継続する。
【０１３２】
また、表示反転ＲＯＭ２２は、カウンタ回路２１のカウント動作開始後から約５ｍＳ後、すなわち、前置反転ＲＯＭ３１からの駆動制御パルスＰ７ｄ、Ｐ７ｅ、Ｐ７ｆが論理“
０”、”０“、”０”に戻った時間に同期して駆動制御パルスＰ７ａ、Ｐ７ｂ、Ｐ７ｃが約１４５ｍＳの期間、論理“１”、”０“、”０”となり、その後、約２０ｍＳの期間、駆動制御パルスＰ７ａ、Ｐ７ｂ、Ｐ７ｃが論理“０”、”１“、”０”となる。
【０１３３】
そして、その後再び約１４５ｍＳの期間、駆動制御パルスＰ７ａ、Ｐ７ｂ、Ｐ７ｃが論理“１”、”０“、”０”となり、その後、再び約１００ｍＳの期間、駆動制御パルスＰ７ａ、Ｐ７ｂ、Ｐ７ｃが論理“０”、”１“、”０”となり、その後再び約１０ｍＳの期間、駆動制御パルスＰ７ａ、Ｐ７ｂ、Ｐ７ｃが論理“１”、”０“、”０”となる。そして、その後カウンタ回路２１のカウント値が“０”に戻ると、駆動制御パルスＰ７ａ、Ｐ７ｂ、Ｐ７ｃは論理“０”、”１“、”０”に固定される。
【０１３４】
ここで、前述した如く、駆動制御パルスＰ７ａ、Ｐ７ｂ、Ｐ７ｃと駆動制御パルスＰ７ｄ、Ｐ７ｅ、Ｐ７ｆは論理和されて合成駆動制御パルスＰ９ａ、Ｐ９ｂ、Ｐ９ｃが出力されるので、この合成駆動制御パルスＰ９ａ、Ｐ９ｂ、Ｐ９ｃの論理の推移に応じて、駆動電圧出力部４０の半導体スイッチ４３が約５ｍＳの期間だけＯＮとなり、その後、半導体スイッチ４１が約１４５ｍＳの期間ＯＮとなり、その後、半導体スイッチ４２が約２０ｍＳの期間ＯＮとなる。以降、半導体スイッチ４１〜４３は実施例３と同様に動作するので説明は省略する。
【０１３５】
これにより、図示するように駆動電圧ＳＥＧＶ４３は、表示書換信号Ｐ４に同期して前置反転期間Ｔ０が開始し、約５ｍＳの期間負電圧−Ｖである前置反転パルスＰ１６が出力される。そして、前置反転期間Ｔ０の終了に同期して表示反転期間Ｔ１が開始し、約１４５ｍＳの期間正電圧＋Ｖである表示反転パルスＰ１４ａが出力され、その後、約２０ｍＳの期間０ｖである休止期間Ｐ１４ｂが出力される。そして、その後再び約１４５ｍＳの期間正電圧＋Ｖである表示反転パルスＰ１４ｃが出力され、その後再び約１００ｍＳの期間０ｖである休止期間Ｐ１４ｄが出力され、その後再び約１０ｍＳの期間正電圧＋Ｖである表示反転パルスＰ１４ｅが出力さる。そしてそれ以降、表示期間Ｔ２ｂにおいて０ｖが継続して出力される。
【０１３６】
次にＳＥＧＶ４４における表示推移信号Ｐ６ｄと、駆動制御パルスＰ７ｄ、Ｐ７ｅ、Ｐ７ｆの関係は、ＳＡＧＶ４３と同様なので、詳細は省略する。
【０１３７】
ここで、駆動制御パルスＰ７ａ、Ｐ７ｂ、Ｐ７ｃと駆動制御パルスＰ７ｄ、Ｐ７ｅ、Ｐ７ｆは論理和されて合成駆動制御パルスＰ９ａ、Ｐ９ｂ、Ｐ９ｃが出力されるので、この合成駆動制御パルスＰ９ａ、Ｐ９ｂ、Ｐ９ｃの論理の推移に応じて、駆動電圧出力部４０の半導体スイッチ４１が約５ｍＳの期間だけＯＮとなり、その後、半導体スイッチ４３が約１４５ｍＳの期間ＯＮとなり、その後、半導体スイッチ４２が約２０ｍＳの期間ＯＮとなる。以降、半導体スイッチ４１〜４３は実施例３と同様に動作するので説明は省略する。
【０１３８】
これにより、図示するように駆動電圧ＳＥＧＶ４４は、表示書換信号Ｐ４に同期して前置反転期間Ｔ０が開始し、約５ｍＳの期間正電圧＋Ｖである前置反転パルスＰ１７が出力される。そして、前置反転期間Ｔ０の終了に同期して表示反転期間Ｔ１が開始し、約１４５ｍＳの期間負電圧−Ｖである表示反転パルスＰ１５ａが出力され、その後、約２０ｍＳの期間０ｖである休止期間Ｐ１５ｂが出力される。そして、その後再び約１４５ｍＳの期間負電圧−Ｖである表示反転パルスＰ１５ｃが出力され、その後再び約１００ｍＳの期間０ｖである休止期間Ｐ１５ｄが出力され、その後再び約１０ｍＳの期間負電圧−Ｖである表示反転パルスＰ１５ｅが出力さる。そしてそれ以降、表示期間Ｔ２ｂにおいて０ｖが継続して出力される。
【０１３９】
ここで、表示反転パルスの出力前に表示反転パルスの電圧極性と反対極性の前置反転パルスを出力する理由は、表示パネルに表示反転パルスによって直流電圧が積算されることを低減し、表示パネルの劣化を防いで信頼性に優れた表示装置を実現することにある。
【０１４０】
尚、実施例４の表示反転期間Ｔ１の駆動電圧ＳＥＧＶ４３、ＳＥＧＶ４４は、実施例３の表示反転期間Ｔ１の駆動電圧ＳＥＧＶ３３、ＳＥＧＶ３４と同一であるので、実施例４のコントラストの向上の効果は実施例３と同様であり、実施例４の表示装置はコントラストが高く視認性に優れた表示装置を提供することが出来る。また、前記反転期間Ｔ０は５ｍＳに限定されず、表示パネルへの直流電圧の積算量に応じて任意に変更して良い。
【０１４１】
また、前置反転パルスＰ１６、Ｐ１７は、参考例１又は参考例２で示した駆動電圧に付加しても良く、それぞれの駆動電圧に前置反転パルスを付加することによって、直流電圧が積算されることを低減することが出来る。また、実施例４の駆動パルス発生部３０は、表示反転ＲＯＭ２２と前置反転ＲＯＭ３１の二つのＲＯＭで構成しているが、この構成に限定されるものではなく、例えば、表示反転ＲＯＭ２２の中に、前置反転パルスのパターン情報を埋め込み、一つのＲＯＭによって駆動パルス発生部３０を構成しても良い。
【０１４２】
以上のように本発明によれば、極めて消費電力の少ない電気泳動型表示パネルの駆動において、複数の表示反転パルスと、この表示反転パルスを分離する休止期間を有する駆動電圧を印加するので、表示のコントラストが向上し、視認性に優れた表示装置を提供出来る。また、複数の表示反転パルスと休止期間の合計時間等を規制することによって、表示パネルへの直流電圧の印加を制限して表示パネルの劣化を防ぐと共に、表示のちらつきを少なくして表示品質に優れた表示装置を実現することが出来る。また、前置反転パルスを付加することによって、表示パネルに直流電圧が積算されることを低減し、表示パネルの劣化を防いで信頼性に優れた表示装置を実現することが出来る。
【０１４３】
尚、本発明の表示装置の表示パネルは、帯電粒子が電気泳動により移動する電気泳動型表示パネルとして説明したが、本発明の表示装置は、この方式に限定されるものではなく、透明な分散媒の代わりに空気を用いたトナー型や電子粉流体型の表示パネルを用いても本発明を適用することが出来る。
【０１４４】
また、本発明の表示装置は、セブンセグメントキャラクタを表示する表示パネルとして説明したが、本発明の表示装置は、この形態に限定されるものではなく、共通電極に対向してドットマトリックス状の画素電極を設けて、任意の文字や図形等を表示できるようにしたものや、予め種々の形状のパターン電極を形成しておき、それらを適宜組み合わせて表示するものなど、画素となる電極の形状や配置、大きさなどは何等限定されない。また、本発明の表示装置は、−Ｖ，０ｖ、＋Ｖの電圧で駆動する３値駆動方式について、説明を行ったが、２つの電圧値を用いた２値駆動方式においても、同様な駆動電圧波形を印加する事が可能であり、コントラストを改善する事ができる。
【０１４５】
また、実施例において、本発明による表示装置で表示する表示データ及びその表示状態を、白と黒として説明したが、これは一般的な無彩色の白と黒に限らず、同系色あるいは異なる色相の明るい色と暗い色（ツートンカラー）、あるいは補色関係にある２色など、明確に区別ができて表示を行なうことができる２つの色であればよい。その場合の表示パネルとしては、例えば図１２に示したマイクロカプセル６０内に、その２つの色のそれぞれ正と負に帯電された帯電粒子を封入したものを使用すればよい。
【０１４６】
また、本発明の実施例における駆動手段としてのセグメントドライバは、ロジック回路によるカスタムＩＣで実現しても良く、または、汎用マイクロコンピュータにファームウエアを組み込んで実現しても良く、その形態は限定されない。また、本発明の実施例で示
したブロック図やタイミングチャート等は、これに限定されるものではなく、本発明の要旨を満たすものであれば、任意に変更することが出来る。
【０１４７】
また、本発明では、駆動ＩＣ２に、表示推移検出部１２や、駆動パルス発生部２０を内蔵したが、表示推移検出部や駆動パルス発生部を外部ＣＰＵや、外部回路で構成する事も、可能である。
【図面の簡単な説明】
【０１４８】
【図１】本発明に係わる表示装置の概略構成を示すブロック図である。
【図２】本発明に係わる表示装置の駆動パルス発生部と駆動電圧出力部の内部構成を示す回路図である。
【図３】参考例１に係わる駆動電圧を説明するタイミングチャートである。
【図４】参考例１に係わる駆動電圧による表示パネルの反射率を示すグラフである。
【図５】参考例２に係わる駆動電圧を説明するタイミングチャートである。
【図６】参考例２に係わる駆動電圧による表示パネルの反射率を示すグラフである。
【図７】本発明の実施例３に係わる駆動電圧を説明するタイミングチャートである。
【図８】本発明の実施例３に係わる駆動電圧による表示パネルの反射率を示すグラフである。
【図９】本発明の実施例４に係わる表示装置の駆動パルス発生部と駆動電圧出力部の内部構成を示す回路図である。
【図１０】本発明の実施例４に係わる駆動電圧を説明するタイミングチャートである。
【図１１】本発明で用いられる電気泳動型表示パネルの一例を示す断面図である。
【図１２】本発明で用いられる電気泳動型表示パネルの拡大断面図である。
【図１３】本発明で用いられる電気泳動型表示パネルの数字キャラクタを表示する一例を示す平面図である。
【図１４】本発明で用いられる電気泳動型表示パネルに数字「２」を表示した状態から数字「３」を表示する状態へ変化させる場合の説明図である。
【図１５】電気泳動型表示パネルを駆動する従来の駆動電圧を説明するタイミングチャートである。
【図１６】従来の駆動電圧による表示パネルの反射率を示すグラフである。
【符号の説明】
【０１４９】
１  表示装置
２  駆動ＩＣ
３  入力回路
１０ａ〜１０ｈ  セグメントドライバ
１１  シフトレジスタ
１２  表示推移検出部
２０、３０  駆動パルス発生部
２１  カウンタ回路
２２  表示反転ＲＯＭ
３１  前置反転ＲＯＭ
３２ａ、３２ｂ、３３ｃ  ＯＲ回路
４０  駆動電圧出力部
４１、４２、４３  半導体スイッチ
５０  表示パネル
５１  樹脂基板
５３  マイクロカプセル表面層
５４  接着剤層
５５  フレキシブルプリント基板（ＦＰＣ）
６０  マイクロカプセル
６１  カプセル殻
６２  分散媒
６３  帯電粒子
６３ａ  白色粒子
６３ｂ  黒色粒子
Ｃ０、Ｃ１、Ｃ２、Ｃ３  反射率
ＣＯＭ  共通電極
ＳＥＧ  セグメント電極
ＳＥＧＶ、ＣＯＭＶ  駆動電圧
Ｐ１  入力信号
Ｐ２ａ〜Ｐ２ｈ  表示データ
Ｐ３  クロック信号
Ｐ４  表示書換信号
Ｐ５ａ  現表示データ
Ｐ５ｂ  次表示データ
Ｐ６ａ〜Ｐ６ｄ  表示推移信号
Ｐ７ａ〜Ｐ７ｆ  駆動制御パルス
Ｐ８  カウンタ信号
Ｐ９ａ、Ｐ９ｂ、Ｐ９ｃ  合成駆動制御パルス
Ｐ１０ａ、Ｐ１０ｃ、Ｐ１１ａ、Ｐ１１ｃ、Ｐ１２ａ、Ｐ１２ｃ、Ｐ１２ｅ、Ｐ１３ａ、Ｐ１３ｃ、Ｐ１３ｅ、Ｐ１４ａ、Ｐ１４ｃ、Ｐ１４ｅ、Ｐ１５ａ、Ｐ１５ｃ、Ｐ１５ｅ
表示反転パルス
Ｐ１０ｂ、Ｐ１１ｂ、Ｐ１２ｂ、Ｐ１２ｄ、Ｐ１３ｂ、Ｐ１３ｄ、Ｐ１４ｂ、Ｐ１４ｄ、Ｐ１５ｂ、Ｐ１５ｄ  休止期間
Ｐ１６、Ｐ１７  前置反転パルス
【図１】
0005511139.tif 000002
【図２】
0005511139.tif 000003
【図３】
0005511139.tif 000004
【図４】
0005511139.tif 000005
【図５】
0005511139.tif 000006
【図６】
0005511139.tif 000007
【図７】
0005511139.tif 000008
【図８】
0005511139.tif 000009
【図９】
0005511139.tif 000010
【図１０】
0005511139.tif 000011
【図１１】
0005511139.tif 000012
【図１２】
0005511139.tif 000013
【図１３】
0005511139.tif 000014
【図１４】
0005511139.tif 000015
【図１５】
0005511139.tif 000016
【図１６】
0005511139.tif 000017